(57)【要約】【課題】安価に製造でき、かつ偽装が容易に行えないようにして偽造を防止できる偽造防止装置を提供する。【解決手段】偽造対象物の開閉部分または偽造対象物を収納するケースの開閉部分に取付けられる偽造防止装置において、ケースの開封時にマイクロコードが記録されたチップの一部が破損されてマイクロコードの再生が不能になるように構成する。チップは、少なくとも、基板と、該基板に積層された記録膜、接着剤を有することが好ましい。チップは反射膜を含んでもよい。また、チップはケースに対して接着され、記録膜と反射膜との間の接着力が接着剤のケースに対する接着力より弱く構成されており、ケースの開封時に記録膜より反射膜が剥離するなど破損する。マイクロコードが記録される際、マイクロコードは基本位置からの位置および角度を変更して記録できる。【選択図】図２
2009244448.tif 000002
【特許請求の範囲】
【請求項１】
偽造対象物の開閉部分または偽造対象物を収納するケースの開閉部分に取り付けられる偽造防止装置において、ケースの開封時にマイクロコードが記録されたチップの一部が破損されてマイクロコードの再生が不能になることを特徴とする偽造防止装置。
【請求項２】
請求項１記載の偽造防止装置において、前記チップは、少なくとも、基板と、該基板に積層された記録膜、接着剤を有することを特徴とする偽造防止装置。
【請求項３】
請求項１記載の偽造防止装置において、前記チップは、少なくとも、基板と、該基板に積層された記録膜、反射膜、接着剤を有することを特徴とする偽造防止装置。
【請求項４】
請求項１記載の偽造防止装置において、前記チップは、基板と、該基板に積層された第１記録膜、第１反射膜、中間層、第２記録膜、第２反射膜、接着剤を有することを特徴とする偽造防止装置。
【請求項５】
請求項３または４記載の偽造防止装置において、前記チップは偽造対象物またはケースに対して接着され、記録膜と反射膜との間の接着力が接着剤の偽造対象物またはケースに対する接着力より弱く構成されており、偽造対象物またはケースの開封時に記録膜より反射膜が剥離することを特徴とする偽造防止装置。
【請求項６】
請求項１記載の偽造防止装置において、マイクロコードが記録される際、マイクロコードは基本位置からの位置および角度を変更して記録できることを特徴とする偽造防止装置。
【発明の詳細な説明】
【技術分野】
【０００１】
本発明は、偽造防止装置に関し、特に、偽造のために狙われる対象物（以下、偽造対象物という）を収納しているケース、例えば、各パチンコ台に毎に設置される主基板を収納しているケースの開封を検知するようにして未然に偽造対象物の偽造を防止する偽造防止装置に関する。また、本発明は、偽造対象物自体の開封を検知するようにして未然に偽造対象物の偽造を防止する偽造防止装置に関する。説明の便宜上、本発明を偽造対象物を収納しているケースの開封の検知に関連して主に説明するが、偽造対象物自体の開封を検知するものも含むものである。
【背景技術】
【０００２】
偽造対象物を収納しているケースの開封がなされたか否かを検知する簡単なものとしてはシールがある。シールは偽造対象物を収納しているケースの開閉部分に、ケースが開封されると破損するように、貼り付けられる。このため、シールの破損により、ケースが開封されたことが検知され、偽造対象物が偽造された可能性があることがわかる。
【０００３】
また、偽造対象物を収納しているケースの開封がなされたか否かを検知する他のものとしては特開２００５−１０７７４５号公報に開示されているＩＣタグがある。この偽造防止用ＩＣタグは偽造対象物を収納しているケースの開閉部分に、ケースが開封されるとＩＣタグ内のアンテナが破損するようになっている。このため、アンテナが破損すると、ＩＣタグと読取り装置の間で信号の送受信が行うことができなくなり、このことにより、ケースが開封されたことが検知され、偽造対象物が偽造された可能性があることがわかる。
【特許文献１】特開２００５−１０７７４５号公報
【発明の開示】
【発明が解決しようとする課題】
【０００４】
偽造防止にシールを使用する場合、破損したシールに代えて、新たなシールを貼り付けることは容易に行うことができるので、すなわち、シールの偽装が容易に行えるので、偽造防止には不十分である。また、偽造防止用ＩＣタグを使用する場合、ＩＣタグ内にはアンテナに加えて、送受信器、記録装置等が形成されており、高価なものとなる。
【０００５】
したがって、本発明の目的は、安価に製造でき、かつ偽装が容易に行えないようにして偽造を防止できる偽造防止装置を提供することにある。
【課題を解決するための手段】
【０００６】
本発明は、偽造対象物の開閉部分または偽造対象物を収納するケースの開閉部分に取り付けられる偽造防止装置において、ケースの開封時にマイクロコードが記録されたチップの一部が破損されてマイクロコードの再生が不能になることを特徴とする。
【発明の効果】
【０００７】
本発明によれば、安価に製造でき、かつ偽造を防止できる偽造防止装置が得られる。
【発明を実施するための最良の形態】
【０００８】
本発明の偽造防止装置では、マイクロコードを記録するチップが偽造対象物を収納するケースの開閉部分に取り付けられる。ケースの開封時にはマイクロコードが記録されたチップの一部が破損される。そして、マイクロコードの再生が不能になるように構成されている。マイクロコードの再生が不能になっていると検知されたとき、ケースの開封が行われ偽造対象物の偽造がなされた可能性があることを認識できるようにする。
【０００９】
チップは、少なくとも、基板と、該基板に積層された記録膜、接着剤を有することが好ましい。または、チップは、少なくとも、基板と、該基板に積層された記録膜、反射膜、接着剤を有することが好ましい。さらにまたは、チップは基板と、該基板に積層された第１記録膜、第１反射膜、中間層、第２記録膜、第２反射膜、接着剤を有することが好ましい。また、接着剤はケースに対して接着され、好ましくは、記録膜と反射膜との間の接着力が接着剤のケースに対する接着力より弱く構成されており、ケースの開封時に記録膜より反射膜が剥離する。マイクロコードが記録される際、マイクロコードは基本位置からの位置および角度を変更して記録できる。
【実施例】
【００１０】
次に、図面を参照して本発明の実施例を説明する。図１は、本発明の偽造防止装置（チップ）が取り付けられるケースの状態を示す断面図であり、図１ａはチップを取り付ける前のケースが開いている状態を示し、図１ｂはチップを取り付ける際のケースが閉じた状態を示し、図１ｃはチップを取り付けた後のケースが閉じた状態を示し、図１ｄはケースを開封した状態を示す。図２はチップがケースの開閉部分に取付けられた状態を示す拡大図であり、図２ａはチップの平面図を示し、図２ｂは図２ａの断面Ａ−Ａを示し、図２ｃは図２ａの断面Ｂ−Ｂを示す。図３はケースの開閉部分に取り付けられた偽造防止装置の詳細を示す断面図であり、図３ａは偽造防止装置の封印時の断面を示し、図３ｂは偽造防止装置の開封時の断面を示す。図４は偽造防止装置に記録するコード（マイクロコード）の例を示す図であり、図４ａはバーコード（マイクロバーコード）を示し、図４ｂはマイクロ二次元コードを示す。図５はバーコードが記録される位置と方向の一例を示す図である。図６はコードの記録・再生に用いる記録・再生装置の一例を示す斜視図である。図７は他の実施例のチップを示す断面図であり、チップの積層構造部分だけを示す。
【００１１】
最初に、図１を参照すると、偽造対象物（図示せず）を収納するケース１０が示されている。ケース１０は、例えば、パチンコ台（図示せず）に取り付けられた下部ケース１２と、下部ケース１２に対して蝶番１６により開閉可能に取り付けられた上部ケース１４からなる。上部ケース１４の開閉部分には、偽造防止装置（マイクロチップ）（以下チップということもある）２０を挿入して封印するための貫通孔１４ａが形成されている。ケース１０を封印するには、図１ａに示すケース１０が開いた状態から図１ｂに示すように閉じ、図１ｃに示すようにチップ２０を貫通孔１４ａに挿入する。このとき、チップの下端に塗付されている接着剤によってチップ２０は下部ケース１２および上部ケース１４に接着され、この結果、ケース１０はチップ２０によって封印されることになる。図１ｄは封印後の開封状態を示すが、このとき、後述するように、チップ２０が破損する。なお、偽造対象物自体の開閉部分にチップを取り付けてもよい。
【００１２】
図２を参照すると、チップ２０にはマイクロコード２２が記録されている。ケースの開閉部分は４つのリブ１８によって下部ケース１２の本体および上部ケース１４の本体によって連結されている。
【００１３】
図３ａに示すように、チップ２０は、基板２０ａに対して、順次、記録膜２０ｂ、反射膜２０ｃ、保護膜２０ｄ、接着剤２０ｅが積層されて形成されたものである。ここで、基板２０ａは、記録再生の際に用いる光を透過できる任意の材質（一例としては透明な材質）からなるものである。また、チップ２０は、接着剤２０ｅが下部ケース１２の上面、上部ケース１４の貫通孔１４ａの内壁と貫通孔１４ａ近傍の下面に接着されることによって下部ケース１２および上部ケース１４に接着される。そして、これらの膜を積層する際、接着剤２０ｅの下部ケース１２に対する接着力より弱い接着力をこれらの膜の間の少なくとも１個所に付与する。例えば、この実施例では、記録膜２０ｂと反射膜２０ｃとの間の接着力が接着剤２０ｅの下部ケース１２に対する接着力より弱くなるように形成されている。
【００１４】
このため、図３ｂに示すように、ケース１０の開封時には、チップ２０の基板２０ａと記録膜２０ｂは上部ケース１４に接着された状態となり、反射膜２０ｃと保護膜２０ｄは下部ケース１２に接着された状態となるので、記録膜２０ｂから反射膜２０ｃが剥離されることになる。反射膜２０ｃがない状態では、再生時に、再生装置（または記録再生装置）からの光の反射光量が減り、マイクロコードを読み取ることができず、再生できないことになる。このことにより、開封後、再びケースを閉じたとしても、記録膜２０ｂと反射膜２０ｃを密着することが困難であるので、開封されたことを認識できる。また、剥離により記録膜もゆがみや破損が生じ再生できなくなり、開封されたことを認識できる。
【００１５】
前述の実施例では、記録膜２０ｂと反射膜２０ｃとの間の接着力が接着剤２０ｅの下部ケース１２に対する接着力より弱くなるように形成されているが、その他の部分、例えば、基板２０ａと記録膜２０ｂとの間の接着力を接着剤２０ｅの下部ケース１２に対する接着力より弱くなるようにしてもよい。また、チップは、記録再生が可能であれば、反射膜を含まないように構成してもよい。
【００１６】
図４には、チップ２０の記録膜２０ｂに記録されるコードとして用いられるマイクロコードが示されている。図４ａはマイクロバーコードを示す。図４ｂはマイクロ二次元コードを示す。図４から明らかなように、バーの幅は約１μｍ程度であり、バー間の距離は約２μｍである。このときのチップの直径は約６ｍｍであり、厚さは約１ｍｍである。このようなチップを作成したり、チップにこのような微小の幅のマイクロコードを記録するには、一般には入手困難なチップ製造装置や記録（または記録再生）装置を用いる必要があり、このことより、チップの作成や記録を困難なものとしており、このため、偽装を困難なものとしている。なお、コードとしては、マイクロコードであれば、任意の適切なものであればよく、例えば、バーコードやＱＲコードであってもよい。なお、コードとして記録される情報は、任意の適切なものであるが、例えば、パチンコ台の場合、パチンコ台の番号、その他製造情報、年月日、場所、社名等がある。
【００１７】
図５には、マイクロコードの位置と方向を変えた例が示されている。書き込み毎にマイクロコードの位置や角度を変えて、偽造の難度を高めている。例えば、基本位置（中央）からの位置Ｘ、Ｙ、角度θの情報を付加する。なお、基本位置は例えばチップ外側のガイド部１９（図２参照）などを基準として設定する。
【００１８】
図６に示すように、記録再生装置３０は、レーザダイオード３２、ビームスキャン用２軸アクチュエータ３４、コリメートレンズ３６、２軸センサ３８、フォーカス用１軸アクチュエータ４０、対物レンズ４２を有する。なお、図示の便宜上、再生時に必要な部品、例えば、チップ２０からの反射光を分離するビームスプリッタや受光装置等は省略している。
【００１９】
記録の際には、レーザダイオード３２からの光はコリメータレンズ３６により平行光として対物レンズ４２に入射され、フォーカス用１軸アクチュエータ４０により焦点がチップ２０の記録膜に合わされ、記録される。ここで、ビームスキャン用２軸アクチュエータ３４を平面内に動かすことで，平行光の角度を変え、記録膜上のスポットを移動することができる。このとき、２軸センサ３８はビームスキャン用２軸アクチュエータ３４の変位を検出するためのものである。なお、再生については説明を省略する。また、再生はカメラによる撮像を利用してもよい。
【００２０】
図７は他の実施例のチップを示す。図７に示すように、この実施例のチップは、図３に関連して説明したチップに対して記録膜、反射膜を２層にしてそれらの間に中間層を設けたものである。すなわち、このチップ２０は、基板２０ａ、第１記録膜２０ｂ１、第１反射膜２０ｃ１、中間層２０ｆ、第２記録膜２０ｂ２、反射膜２０ｃ２、保護膜２０ｄからなる。チップをこのように構成することによって、記録および再生を一層困難なものにし、偽造防止をより確実なものにすることができる。
【００２１】
記録は、第１記録膜２０ｂ１、第２記録膜２０ｂ２にそれぞれ行われてもよいし、いずれか一方でもよい。また、一方の記録膜にダミー情報を記録するようにしてもよい。また、接着剤の接着力より弱い個所としては、任意の適切な個所、例えば、第１記録膜２０ｂ１と第１反射膜２０ｃ１との間、第１反射膜２０ｃ１と中間層２０ｆとの間、中間層２０ｆと第２記録膜２０ｂ２との間、または第２記録膜２０ｂ２と第２反射膜２０ｃ２との間等が選ばれる。
【図面の簡単な説明】
【００２２】
【図１】本発明の偽造防止装置（チップ）が取付けられるケースの状態を示す断面図であり、図１ａはチップを取り付ける前のケースが開いている状態を示し、図１ｂはチップを取り付ける際のケースが閉じた状態を示し、図１ｃはチップを取り付けた後のケースが閉じた状態を示し、図１ｄはケースを開封した状態を示す。
【図２】チップがケースの開閉部分に取付けられた状態を示す拡大図であり、図２ａはチップの平面図を示し、図２ｂは図２ａの断面Ａ−Ａを示し、図２ｃは図２ａの断面Ｂ−Ｂを示す。
【図３】ケースの開閉部分に取り付けられた偽造防止装置の詳細を示す断面図であり、図３ａは偽造防止装置の封印時の断面を示し、図３ｂは偽造防止装置の開封時の断面を示す。
【図４】偽造防止装置に記録するコード（マイクロコード）の例を示す図であり、図４ａはバーコード（マイクロバーコード）を示し、図４ｂはマイクロ二次元コードを示す。
【図５】バーコードが記録される位置と方向の一例を示す図である。
【図６】コードの記録再生に用いる記録再生装置の一例を示す斜視図である。
【図７】他の実施例のチップを示す断面図であり、チップの積層構造部分だけを示す。
【符号の説明】
【００２３】
１０      ケース
１２      下部ケース
１４      上部ケース
１４ａ    貫通孔
２０      チップ
２０ａ    基板
２０ｂ    記録膜
２０ｃ    反射膜
２０ｄ    保護膜
２０ｅ    接着剤
２２      コード（マイクロコード）
２０ｂ１  第１記録膜
２０ｃ１  第１反射膜
２０ｆ    中間層
２０ｂ２  第２記録膜
２０ｃ２  第２反射膜
【図１】
2009244448.tif 000003
【図２】
2009244448.tif 000004
【図３】
2009244448.tif 000005
【図４】
2009244448.tif 000006
【図５】
2009244448.tif 000007
【図６】
2009244448.tif 000008
【図７】
2009244448.tif 000009